(57)【要約】  【課題】額縁寸法が狭い液晶表示装置を提供する。  【解決手段】本発明は、液晶表示パネルと、バックライトを有する液晶表示モジュール１０において、液晶表示パネルを搭載し、前記バックライトを収納する枠状のモールドフレームを有し、バックライトは、液晶表示パネルに対向する位置に配置された導光板と、導光板の一側面の入光面に配置された光源１８を有して構成されており、一端が液晶表示パネルに接続され、他の一端に光源１８を搭載し、モールドフレーム１６を構成する枠体を包むようにして配置されたフレキシブルプリント基板１５を有し、フレキシブルプリント基板１５の光源１８が搭載されている側には、複数個の電子部品１９が実装されており、  モールドフレーム１６には、複数個の電子部品１９を収納する収納部３２が形成されており、複数個の電子部品１９は、その端子１９１が導光板の入光面に対して垂直方向になるように搭載されている。  【選択図】図５
2008242108.tif 000002
【特許請求の範囲】
【請求項１】
液晶表示パネルと、バックライトを有する液晶表示モジュールにおいて、
前記液晶表示パネルを搭載し、前記バックライトを収納する枠状のモールドフレームを有し、
前記バックライトは、前記液晶表示パネルに対向する位置に配置された導光板と、該導光板の一側面の入光面に配置された光源を有して構成されており、
一端が前記液晶表示パネルに接続され、他の一端に前記光源を搭載し、前記モールドフレームを構成する枠体を包むようにして配置されたフレキシブルプリント基板を有し、
該フレキシブルプリント基板の前記光源が搭載されている側には、複数個の電子部品が実装されており、
前記モールドフレームには、前記複数個の電子部品を収納する収納部が形成されており、
前記複数個の電子部品は、その端子が前記導光板の入光面に対して垂直方向になるように搭載されている液晶表示モジュール。
【請求項２】
請求項１の液晶表示モジュールにおいて、
前記複数個の電子部品は２端子である液晶表示モジュール。
【請求項３】
請求項１の液晶表示モジュールにおいて、
前記複数個の電子部品は、２端子、３端子、若しくは４端子であり、
前記２端子の電子部品の数が前記３端子と前記４端子を合わせた数よりも多い液晶表示モジュール。
【請求項４】
請求項１乃至３の何れか一項に記載の液晶表示モジュールにおいて、
前記電子部品は、抵抗、コンデンサ、若しくはダイオードである液晶表示モジュール。
【請求項５】
液晶表示パネルと、バックライトを有する液晶表示モジュールにおいて、
前記液晶表示パネルを搭載し、前記バックライトを収納する枠状のモールドフレームを有し、
前記バックライトは、前記液晶表示パネルに対向する位置に配置された導光板と、該導光板の一側面の入光面に配置された光源を有して構成されており、
一端が前記液晶表示パネルに接続され、他の一端に前記光源を搭載し、前記モールドフレームを構成する枠体を包むようにして配置されたフレキシブルプリント基板を有し、
該フレキシブルプリント基板の前記光源が搭載されている側には、複数個の電子部品が実装されており、
前記モールドフレームには、前記複数個の電子部品を収納する収納部が形成されており、
前記フレキシブルプリント基板上には、前記複数個の電子部品のうちの一つの電子部品に対するパッドが、前記前記導光板の入光面に対して垂直方向に配置されている液晶表示モジュール。
【請求項６】
請求項５の液晶表示装置において、
前記複数個の電子部品は２端子で構成されている液晶表示モジュール。
【請求項７】
請求項５の液晶表示モジュールにおいて、
前記複数個の電子部品は、２端子、３端子、若しくは４端子であり、
前記２端子の電子部品の数が前記３端子と前記４端子を合わせた数よりも多い液晶表示モジュール。
【請求項８】
請求項５乃至７の何れか一項に記載の液晶表示モジュールにおいて、
前記電子部品は、抵抗、コンデンサ、若しくはダイオードである液晶表示モジュール。
【発明の詳細な説明】
【技術分野】
【０００１】
本発明はバックライトを搭載した液晶表示モジュールに関し、特に携帯電話等に使用される小型液晶表示モジュールに用いて好適な技術に関連する。
【背景技術】
【０００２】
図１０は、従来の液晶表示モジュールの要部断面構成を示す図面である。
【０００３】
従来の液晶表示モジュールでは、ＴＦＴ基板１１とカラーフィルタ基板１２（以下、ＣＦ基板１２）の間に図示しない液晶層を挟持して液晶表示パネルが構成されている。またＴＦＴ基板１１は、ＣＦ基板１２よりも大きい基板であり、ＴＦＴ基板１１上でＣＦ基板１２と重なっていない領域には、液晶表示パネルの駆動を制御するドライバチップ１３が配置されている。さらに、ＣＦ基板１２上には上側偏光板１４が配置され、ＴＦＴ基板１１の下側にも下側偏光板２１が配置されている。また、液晶表示パネルの下方にはバックライトが配置されて液晶表示モジュールを構成している。
【０００４】
バックライトは、フレキシブルプリント基板１５（以下、ＦＰＣ１５）上に配置された例えばＬＥＤのような光源１８と、この光源１８から出射される光を液晶表示パネルの全体に導く導光板１７により構成される。導光板１７と液晶表示パネルとの間には光学シート２２が配置されている。この光学シートは例えば上側拡散シート、上側プリズムシート、下側プリズムシート、下側拡散シート等である。導光板１７の下側には反射シート２３が配置されており、導光板１７の下側に導かれた光を液晶表示パネル側に向ける役割を果たしている。導光板１７は液晶表示装置の薄型化の要求を満たすために、光源１８に対向する入射面以外は薄く構成されている。入射面が厚く構成されているのは、現状光源１８として好適なＬＥＤのサイズが大きいためで、このＬＥＤのサイズに合わせて導光板１７の入射面が大きく構成されている。尚、図１０において、１６はモールドフレームを示しており、枠状のモールドフレームの上側に液晶表示パネルを配置し、下側にバックライトを配置するようにして液晶表示モジュールが構成されている。
【０００５】
ＦＰＣ１５の上には、光源１８のほかにコンデンサや抵抗などの電子部品（縦向きの電子部品１９、横向きの電子部品１０１、１０２）が搭載されている。この電子部品（１９、１０１、１０２）は、モールドフレーム１６に形成された凹状の収納部３２の中に収納されている。
【０００６】
尚、このようなＦＰＣ１５上に搭載した電子部品をモールドフレーム１６に収納する構成については特許文献１に記載されている。
【０００７】
【特許文献１】特開平７‐２７０８１４号公報
【発明の開示】
【発明が解決しようとする課題】
【０００８】
近年、液晶表示装置の薄型化と並び液晶表示装置の狭額縁化の要求が非常に高くなってきている。図１０に示した構成の場合、液晶表示パネルからのＦＰＣ１５の張り出し寸法（図１０のＬ２）を小さくするためには、ＦＰＣ１５上に実装された電子部品（１９、１０１、１０２）の収納部３２の長さ（図６のＬ３）を縮める必要がある。
【０００９】
本発明は、額縁寸法が狭い液晶表示装置を提供することを目的とする。
【課題を解決するための手段】
【００１０】
上述した目的を達成するため、本発明では、狭額縁の液晶表示装置の鍵となる収納部３２の長さＬ３を縮める方策として、本発明ではＦＰＣ１５に実装される電子部品（１９、１０１、１０２）の向きに着目してみた。
【００１１】
図１１は、ＦＰＣ１５に複数個の電子部品（１９、１０１、１０２）と光源１８が実装された様子を示す上面図である。尚、図１１のＡ−Ａ’断面の延長線上の断面図が図１０に相当する。図１１に示されているように、従来ではモールドフレーム１６の収納部３２には複数個の電子部品（１９、１０１、１０２）が実装されている。
【００１２】
図１２は、ＦＰＣ１５の上に構成されている半田付けパッド１２０と、縦向きの電子部品１９及び電子部品１９の外部端子１９１の関係を示す図面である。
【００１３】
ＦＰＣ１５に実装される電子部品が図１２に示すように２端子電子部品である場合、この電子部品１９はリフローにより半田付けされる。このような場合、図１２（ａ）に示すように横方向（図１２（ａ）の左右方向）には位置ずれを起こしやすいが、図１２（ｂ）に示すような縦方向（図１２（ｂ）の上下方向）には位置ずれを起こし難い点を確認しこの点に着目した。
【００１４】
従来の構成では、図１１に示されているように、ＦＰＣ１５上に実装され、モールドフレーム１６の収納部３２内に収納される電子部品は横向きの電子部品１０１、１０２と縦向きの電子部品１９が混在していたため、横向きの電子部品１０１、１０２に対しては、縦方向に位置ずれを起こす可能性があるため、モールドフレーム１６の収納部３２とのクリアランス（図１０のＬ４、Ｌ５）を多くとる必要があった。
【００１５】
本発明では、ＦＰＣ１５に実装され、モールドフレーム１６の収納部３２に収納される電子部品の向きを揃えることで液晶表示装置の狭額縁化を図ることとする。
【００１６】
本発明の一つの実施態様によれば、例えばＴＦＴ基板とＣＦ基板を重ね合わせて構成した液晶表示パネルと、バックライトを有する液晶表示モジュールにおいて、液晶パネルを搭載しバックライトを収納する枠状のモールドフレームを有し、このバックライトは少なくとも液晶表示パネルの表示領域に対向する位置に配置された導光板と、この導光板の一側面（入光面）に配置されたＬＥＤ等で構成される光源を有して構成されており、一端が液晶表示パネルのＴＦＴ基板に接続され他の一端に前述の光源を搭載し、モールドフレームを構成する枠体を包むようにして配置されたフレキシブルプリント基板を有し、フレキシブルプリント基板の光源が搭載されている側には、例えばコンデンサや抵抗、若しくはダイオードのような複数個の電子部品が実装されており、モールドフレームには、複数個の電子部品を収納するために凹状に構成された収納部が形成されており、複数個の電子部品は、その端子が導光板の入光面に対して垂直方向になるように搭載されている、というものである。
【００１７】
本発明によれば、このように電子部品の配置方向を揃えたことで、電子部品の配置ずれの懸念を最小限に止めることができ、よって、モールドフレームの収納部の長さを短くできることで、額縁寸法が狭い液晶表示装置を提供することができるというものである。
【００１８】
尚、複数個の電子部品は２端子で構成されている場合に最も効果があると考えている。
【００１９】
また、複数個の電子部品が、２端子、３端子、若しくは４端子が混在していた場合であっても、２端子の電子部品の数が３端子と４端子を合わせた数よりも多い場合には本発明の効果が得られると考えられる。つまり、本発明の場合は、２端子の電子部品のみがモールドフレームの収納部に収納される構成の場合が最も効果が得られると考えられるが、３端子の電子部品や、４端子の電子部品が混在した場合でも、２端子の電子部品の数が他の３端子部品や４端子部品の数の合計よりも多いのであれば、本発明の効果を得ることができる。
【００２０】
本発明の別の実施態様によれば、液晶表示パネルと、バックライトを有する液晶表示モジュールにおいて、液晶パネルを搭載し、バックライトを収納する枠状のモールドフレームを有し、バックライトは、液晶表示パネルに対向する位置に配置された導光板と、該導光板の一側面の入光面に配置された光源を有して構成されており、一端が液晶表示パネルに接続され、他の一端に前記光源を搭載し、モールドフレームを構成する枠体を包むようにして配置されたフレキシブルプリント基板を有し、該フレキシブルプリント基板の前記光源が搭載されている側には、複数個の電子部品が実装されており、モールドフレームには、前記複数個の電子部品を収納する収納部が形成されており、前記フレキシブルプリント基板上には、前記複数個の電子部品のうちの一つの電子部品に対するパッドが、前記前記導光板の入光面に対して垂直方向に配置されている、というものである。
【００２１】
本発明においても、このように電子部品が配置されるパッドの方向を揃えたことで、電子部品の配置ずれの懸念を最小限に止めることができ、よって、モールドフレームの収納部の長さを短くできることで、額縁寸法が狭い液晶表示装置を提供することができるというものである。
【発明の効果】
【００２２】
本発明によれば、額縁寸法が狭い液晶表示装置を提供することができる。
【発明を実施するための最良の形態】
【００２３】
以下、図面を用いて詳細に説明する。
【実施例１】
【００２４】
図１は、本発明に関する液晶表示モジュール１０の構成を示すものである。
【００２５】
液晶表示パネルは、例えばガラス基板、プラスチック基板のような絶縁性の透明基板で構成されるＴＦＴ基板１１とカラーフィルタ基板１２（以下、ＣＦ基板１２）に液晶層を挟持して重ね合わせることにより構成されている。またＴＦＴ基板１１上には、ＣＦ基板１２と重なっていない箇所に液晶表示パネルの駆動を制御するドライバチップ１３が搭載されている。さらにこのドライバチップ１３に信号を供給するためにフレキシブルプリント基板１５（以下、ＦＰＣ１５）の一端が配置されている。また、ＣＦ基板１２上には上側偏光板１４が配置されており、またＴＦＴ基板１１にも下側偏光板が配置されている。尚、ＴＦＴ基板１１上にドライバチップ１３が配置されるので、ＣＦ基板はＴＦＴ基板よりもサイズが小さい。勿論、図１に示したような構成ではなくＣＦ基板を下側にしてＣＦ基板にドライバチップを配置する場合は、ＣＦ基板の方がＴＦＴ基板よりもサイズが大きくなる。
【００２６】
この液晶表示パネルは、中央部に穴２０が空いた枠状のモールドフレーム１６の上側に配置され、またモールドフレーム１６の下側には、前述したＦＰＣ１５の他の一端の一部に挟まれるように、図示していない上拡散シート、上プリズムシート、下プリズムシート、下拡散シート等の光学シート、導光板１７、及び反射シート１９が配置されている。尚、ＦＰＣ１５の他の一端上には、導光板１７の側面に対向してＬＥＤ等の光源１８が配置されている。
【００２７】
導光板１７の一側面（入射面）は、光源１８に対向するように配置されており、この導光板１７はモールドフレーム１６の液晶パネルが収納された反対側に収納されている。さらにこの導光板１７の下に配置された反射シート２３が、この反射シート２３の周囲に形成された粘着剤により、図２に示すような位置関係によってモールドフレーム１６に貼り付けられるようにして構成されている。一般に、このように導光板の側面に光源を配置したバックライトは、サイドライト側のバックライトと呼ばれている。
【００２８】
図２は、図１の本発明の液晶表示モジュールにおける断面（側面）構成を示す図面である。
【００２９】
図２に示すように、ＴＦＴ基板１１にも下側偏光板２１が配置されており、また導光板１７と液晶表示パネルとの間には光学シート２２が配置されている。尚、導光板１７の下側には反射シート２３が配置されている。
【００３０】
図３はモールドフレーム１６の形状を説明するための図面である。図３（ａ）は液晶表示モジュールが搭載される側のモールドフレーム１６の形状うぃ示す図面である。また、図３（ｂ）はバックライトが配置される側のモールドフレーム１６の形状を示す図面である。
【００３１】
図３（ａ）において、モールドフレーム１６に形成されている側壁３０に沿うようにして液晶表示パネルが配置される。また、図３（ｂ）において、モールドフレーム１６に形成されている側壁３１に沿って導光板１７が配置され、さらに側壁３４に沿って反射シート２３が配置される。この反射シート２３は、側辺に粘着部材が形成されており、モールドフレーム１６に貼り付けられることにより、導光板１７等のバックライトをモールドフレーム内に収納している。
【００３２】
図３（ｂ）の３２は、モールドフレーム１６に形成されている凹状の収納部であり、図４に示す状態でＦＰＣ１５の上に搭載されているコンデンサや抵抗等の電子部品１９がモールドフレーム１６に当らないように形成されているものである。
【００３３】
また、図３（ｂ）の３３は、モールドフレーム１６に形成されている光源の収納部であり、図１に示す状態でＦＰＣ１５の上に搭載されているＬＥＤ等の光源１８がモールドフレーム１６に当らないように形成されているものである。
【００３４】
図４は、実際にモールドフレーム１６の上側に液晶表示パネルを配置し、下側にバックライトを配置して液晶表示モジュールを構成した様子を示す図面である。図４に示すように、ＦＰＣ１５上には電子部品１９が搭載されているが、モールドフレーム１６に形成されている収納部３２により、モールドフレーム１６とは接触しないように構成されている。尚、１７１は、光源１８に対向した導光板１７の入光面である。本発明では、光源１８が収納される収納部３３の端辺４１とモールドフレーム１６の側辺４２までの間のＦＰＣ１５の間隔Ｌ１を短くすることにより、液晶表示パネルからのＦＰＣ１５の張り出し寸法Ｌ２を短くしようとするものである。
【００３５】
図５は、本発明で構成されるＦＰＣ１５に搭載される電子部品の配置の様子を示すものである。図５に示すように、本発明では、ＦＰＣ１５上には、収納部３２に収納される全ての電子部品１９が縦向きに搭載されるように、半田付けパッド１２０が導光板１７の入光面１７１に対して垂直な方向に配置されている。
【００３６】
本発明では、このような構成にしたことにより、ＦＰＣ１５に搭載される電子部品１９の位置ずれを横方向（導光板１７の入光面１７１に対して平行な方向）のみに限定させ、ＦＰＣ１５に搭載される電子部品１９の縦方向の位置ずれ懸念を無くす。よって、モールドフレーム１６に形成された収納部３２の長さを縮めることができ、液晶表示パネルからのＦＰＣ１５の張り出し寸法Ｌ２を短くすることで額縁寸法を狭くすることができる。
【実施例２】
【００３７】
次に、本発明の実施例２について説明する。
【００３８】
実施例１は、モールドフレーム１５の収納部３２に収納される電子部品を２端子の電子部品を例に挙げて説明した。
【００３９】
図６は様々な電子部品の形態を示す図面である。
【００４０】
図６（ａ）は実施例１において説明した２端子の電子部品である。この電子部品は、例えばコンデンサや抵抗、ダイオード等である。実施例１で説明した２端子の電子部品は縦方向ｗ１１が１．０ｍｍ〜１．６ｍｍ、横方向ｗ１２が０．５ｍｍ〜０．８ｍｍ、またこの高さは０．５ｍｍ〜０．９ｍｍ程度のものが多く使用されている。
【００４１】
図６（ｂ）は実施例２において説明した２端子の電子部品とは別の形状の２端子の電子部品の形状である。この電子部品６０は電子部品の端子６０１が外側に張り出している点が実施例１の２端子の電子部品とは異なる。
【００４２】
図６（ｃ）は、３端子の電子部品の一例であり、電子部品６１はチップボリュームと呼ばれる可変抵抗であり、抵抗値をボリューム６１２を回して調整する。この３端子の電子部品６１は縦方向ｗ２１が２．５ｍｍ〜４．０ｍｍ、横方向ｗ２２が１．４ｍｍ〜３．０ｍｍ、またこの高さは０．８ｍｍ〜１．０ｍｍ程度のものが多く使用されている。尚、部品の高さはコストと関係し、値段が高ければ高さが低くて小さい部品を調達でき、値段が安ければ高さが高く大きい部品しか搭載できない可能性もある。
【００４３】
図６（ｄ）は、３端子の電子部品の別の一例である。電子部品６２は例えばコンデンサ、抵抗、又はダイオードである。この３端子の電子部品６２は縦方向ｗ３１が０．８ｍｍ〜１．６ｍｍ、横方向ｗ３２が０．５ｍｍ〜１．２ｍｍ、またこの高さは０．５ｍｍ〜０．９ｍｍ程度のものが多く使用されている。
【００４４】
図６（ｅ）は、４端子の電子部品の別の一例である。電子部品６３は例えばコンデンサ、抵抗、又はダイオードである。この４端子の電子部品６３は縦方向ｗ３１が１．０ｍｍ〜１．６ｍｍ、横方向ｗ３２が１．０ｍｍ〜１．６ｍｍ、またこの高さは０．５ｍｍ〜０．９ｍｍ程度のものが多く使用されている。
【００４５】
このように、３端子や４端子の電子部品は、２端子の電子部品より大きい場合があり、本発明を適用してＦＰＣ１５上に３端子の電子部品や４端子の電子部品を搭載しなければならない場合には工夫が必要となる。
【００４６】
図７は、図６（ｄ）で示したような３端子の電子部品をＦＰＣ１５上に搭載しなければならない場合の搭載例である。
【００４７】
図７に示すように、２端子の電子部品１９よりも大きい３端子の電子部品６２を搭載する必要がある場合には、例えば、光源１８の間７１に３端子の電子部品６２を搭載することで、実施例１と同様に、液晶表示パネルからのＦＰＣ１５の張り出し寸法Ｌ２を短くすることで額縁寸法を狭くすることができる。尚、このような３端子の電子部品６２を配置する場合は、電子部品６２が図７の横方向にずれないように、電子部品の端子が導光板の入光面に対して垂直方向になるように配置している。若しくは、２端子部品のみではなく３端子部品や４端子部品も搭載される場合についても、これらの３端子部品や４端子部品が向きを揃えて配置されている２端子部品の幅Ｌ６内に収まっているか、はみ出たとしても図７のように光源１８の配置方向のみにはみ出るような配置をすることが重要である。
【実施例３】
【００４８】
図８により、２端子の電子部品１９よりも大きい３端子の電子部品６１を搭載する必要がある場合の別の実施例を示す。
【００４９】
例えば図６（ｃ）に示したような３端子の電子部品６１を配置しようとする場合、前述したように、その高さが０．８ｍｍ〜１．０ｍｍである点が問題となる。
【００５０】
即ち、この電子部品６１は、光源１８がＬＥＤである場合には、このＬＥＤの高さ  ｍｍよりも高い。このような状態で、実施例２で説明した位置に電子部品６１を配置しようとすると、ＴＦＴ基板１１に接触する可能もある。そこで、実施例３の構成では、このような電子部品６１をＦＰＣ１５に設けた張り出し部１５１上に配置するというものである。    
図９にＦＰＣ１５の張り出し部１５１上に３端子の電子部品６１を配置した例を示している。この場合、モールドフレーム１５はこの電子部品が当らないように収納部を形成するか、切り欠き部を形成する必要がある。尚、実施例３では３端子の電子部品を例に説明したが、４端子の電子部品６３に高さの問題がある場合にも同様に適用できる。
【図面の簡単な説明】
【００５１】
【図１】本発明に関する液晶表示モジュールの構成を示すものである。
【図２】図１の本発明の液晶表示モジュールにおける断面（側面）構成を示す図面である。
【図３】モールドフレームの形状を説明するための図面であり、図３（ａ）が液晶表示モジュールが搭載される側のモールドフレームの形状、図３（ｂ）がバックライトが配置される側のモールドフレームの形状である。
【図４】実際にモールドフレームの上側に液晶表示パネルを配置し、下側にバックライトを配置して液晶表示モジュールを構成した様子を示す図面である。
【図５】本発明で構成されるＦＰＣに搭載される電子部品の配置の様子を示すものである。
【図６】様々な電子部品の形態を示す図面である。
【図７】本発明の実施例２における電子部品の配置を示す図面である。
【図８】本発明の実施例３におけるＦＰＣの張り出し部上に３端子の電子部品を配置した例である。
【図９】本発明の実施例３における液晶モジュールを示すものである。
【図１０】従来の液晶表示モジュールの要部断面構成を示す図面である。
【図１１】ＦＰＣに複数個の電子部品と光源が実装された様子を示す上面図である。
【図１２】ＦＰＣの上に構成されている半田付けパッドと、縦向きの電子部品及び電子部品の外部端子の関係を示す図面である。
【符号の説明】
【００５２】
１１…ＴＦＴ基板、  １２…ＣＦ基板、  １３…ドライバチップ、  １４…上側偏光板、
１５…ＦＰＣ、１６…モールドフレーム、１７…導光板、１８…光源、１９…電子部品、１９１…電子部品の端子、２１…下側偏光板、２２…光学シート、２３…反射シート、
３０…モールドフレームに形成される液晶表示パネル用の側壁、
３１…モールドフレームに形成される導光板用の側壁、
３２…モールドフレームに形成される電子部品の収納部、
３３…モールドフレームに形成される光源の収納部、
８０…ＦＰＣに形成されている電子部品を搭載するためのパッド。
【図１】
2008242108.tif 000003
【図２】
2008242108.tif 000004
【図３】
2008242108.tif 000005
【図４】
2008242108.tif 000006
【図５】
2008242108.tif 000007
【図６】
2008242108.tif 000008
【図７】
2008242108.tif 000009
【図８】
2008242108.tif 000010
【図９】
2008242108.tif 000011
【図１０】
2008242108.tif 000012
【図１１】
2008242108.tif 000013
【図１２】
2008242108.tif 000014